(57)【要約】【課題】シリンダー体及びピストン体を備えてなるダンパー装置を、より簡素な構造をもって提供できるようにする。【解決手段】シリンダー体１は、隔壁１０により、キャップ体３により外部と区分された第一室１１と、ピストン体２の納められた第二室１２とに区分されている。隔壁１０には第一室１１と第二室１２とを連絡する流路１０ａが形成されていると共に、この隔壁１０からは第一室１１側に軸部１４が突出されている。キャップ体３は貫通穴３０を備えており、この貫通穴３０に軸部１４を通して基準位置からシリンダー体１の軸線ｘ方向に移動可能になっている。ピストン体２の移動又は相対的な移動により生じる圧力変化によってキャップ体３が基準位置から移動したときに、前記貫通穴３０と軸部１４との間の隙間ｙを変化させる絞り構造を備えている。【選択図】図１
2011038624.tif 000002
【特許請求の範囲】
【請求項１】
シリンダー体及びピストン体を備え、少なくともこれらの一方の側を制動対象物に取り付けさせることにより、制動対象物の移動又は相対的な移動に制動を付与するダンパー装置であって、
シリンダー体は、隔壁により、キャップ体により外部と区分された第一室と、ピストン体の納められた第二室とに区分されており、
隔壁には第一室と第二室とを連絡する流路が形成されていると共に、この隔壁からは第一室側に軸部が突出されており、
キャップ体は貫通穴を備えており、この貫通穴に軸部を通して基準位置からシリンダー体の軸線方向に移動可能になっており、
ピストン体の移動又は相対的な移動により生じる圧力変化によってキャップ体が基準位置から移動したときに、前記貫通穴と軸部との間の隙間を変化させる絞り構造が備えられていることを特徴とするダンパー装置。
【請求項２】
シリンダー体及びピストン体を備え、少なくともこれらの一方の側を制動対象物に取り付けさせることにより、制動対象物の移動又は相対的な移動に制動を付与するダンパー装置であって、
シリンダー体は、隔壁により、キャップ体により外部と区分された第一室と、ピストン体の納められた第二室とに区分されており、
隔壁には第一室と第二室とを連絡する流路が形成されていると共に、この隔壁からは第一室側に軸部が突出されており、
キャップ体は貫通穴を備え、この貫通穴に軸部を通しており、
ピストン体の移動又は相対的な移動により生じる圧力変化によってキャップ体の貫通穴の穴縁部が変形して貫通穴が隔壁側に移動するようになっており、この移動が生じたときにこの貫通穴と軸部との間の隙間を変化させる絞り構造が備えられていることを特徴とするダンパー装置。
【請求項３】
軸部を隔壁に近づくに連れて太くなるように構成してなる請求項１又は請求項２に記載のダンパー装置。
【請求項４】
軸部に、隔壁に近づくに連れて浅くなる溝若しくは隔壁に近づくに連れて幅狭となる溝又は隔壁に近づくに連れて浅くなり且つ幅狭となる溝を形成してなる請求項１又は請求項２に記載のダンパー装置。
【発明の詳細な説明】
【技術分野】
【０００１】
この発明は、シリンダー体及びピストン体を備え、少なくともこれらのいずれか一方の側を制動対象物に取り付けさせることにより、制動対象物の移動又は相対的な移動に制動を付与するダンパー装置の改良に関する。
【背景技術】
【０００２】
シリンダー体と、ピストン体と、シリンダー体の内奥部に形成された通気孔に軸部を入れ込ませた栓状体と、この栓状体を付勢するバネとを備えたダンパー装置として本出願人開示の特許文献１に示されるものがある。このダンパー装置では、ピストン体がシリンダー体の内奥部から離れる向きに移動すると、シリンダー体内が負圧になるため前記バネの付勢により通気孔への栓状体の軸部の入り込み量が大きくなる。これにより通気孔を通じたシリンダー内への空気の導入が制限されることから、ピストン体の移動に制動力が作用され、この制動力を制動対象物の移動又は相対的な移動に作用させるようにしている。
【先行技術文献】
【特許文献】
【０００３】
【特許文献１】特開２００８−２７５１３８号公報
【発明の概要】
【発明が解決しようとする課題】
【０００４】
この発明が解決しようとする主たる問題点は、この種のシリンダー体及びピストン体を備えてなるダンパー装置を、より簡素な構造をもって提供できるようにする点にある。
【課題を解決するための手段】
【０００５】
前記課題を達成するために、この発明にあっては、第一の観点から、ダンパー装置を、シリンダー体及びピストン体を備え、少なくともこれらの一方の側を制動対象物に取り付けさせることにより、制動対象物の移動又は相対的な移動に制動を付与するダンパー装置であって、
シリンダー体は、隔壁により、キャップ体により外部と区分された第一室と、ピストン体の納められた第二室とに区分されており、
隔壁には第一室と第二室とを連絡する流路が形成されていると共に、この隔壁からは第一室側に軸部が突出されており、
キャップ体は貫通穴を備えており、この貫通穴に軸部を通して基準位置からシリンダー体の軸線方向に移動可能になっており、
ピストン体の移動又は相対的な移動により生じる圧力変化によってキャップ体が基準位置から移動したときに、前記貫通穴と軸部との間の隙間を変化させる絞り構造を備えるものとした。
【０００６】
また、前記課題を達成するために、この発明にあっては、第二の観点から、ダンパー装置を、シリンダー体及びピストン体を備え、少なくともこれらの一方の側を制動対象物に取り付けさせることにより、制動対象物の移動又は相対的な移動に制動を付与するダンパー装置であって、
シリンダー体は、隔壁により、キャップ体により外部と区分された第一室と、ピストン体の納められた第二室とに区分されており、
隔壁には第一室と第二室とを連絡する流路が形成されていると共に、この隔壁からは第一室側に軸部が突出されており、
キャップ体は貫通穴を備え、この貫通穴に軸部を通しており、
ピストン体の移動又は相対的な移動により生じる圧力変化によってキャップ体の貫通穴の穴縁部が変形して貫通穴が隔壁側に移動するようになっており、この移動が生じたときにこの貫通穴と軸部との間の隙間を変化させる絞り構造を備えるものとした。
【０００７】
制動対象物の移動又は相対的な移動によりピストン体がシリンダー体の隔壁から離れる向きに移動又は相対的に移動されると、第二室は負圧になることから軸部との間に流体の通過する隙間を設けてこの軸部を貫通穴に挿通させているキャップ体には隔壁に近接する向きの力が作用される。このような力が作用されると、第一の観点に係るダンパー装置にあっては、キャップ体は基準位置から隔壁に近接する向きに移動され、また、第二の観点に係るダンパー装置にあっては、キャップ体の貫通穴の穴縁部が隔壁に近接する向きに移動される。このような移動がされると、前記絞り構造により前記隙間が変化、つまりかかる隙間の断面積が減少されることから、シリンダー体内に第一室側から流体が導入され難くなり、ピストン体の移動又は相対的な移動に制動が作用される。これにより制動対象物の移動又は相対的な移動に制動力を作用させることができる。
【０００８】
具体的には、前記軸部を隔壁に近づくに連れて太くなるように構成しておく。あるいはまた、前記軸部に、隔壁に近づくに連れて浅くなる溝若しくは隔壁に近づくに連れて幅狭となる溝又は隔壁に近づくに連れて浅くなり且つ幅狭となる溝を形成しておく。このようにしておけば、キャップ体の隔壁側に向けた移動量、又は、貫通穴の隔壁側に向けた移動量が大きくなればなるほど、ピストン体の移動に対する抵抗が大きくなるようにすることができる。これにより、ピストン体の移動又は相対的な移動が遅いときはかかる移動量が小さいのでこのピストン体ひいては制動対象物への制動力を小さく生じさせ、ピストン体の移動又は相対的な移動が速いときはかかる移動量が大きくなるのでこのピストン体ひいては制動対象物への制動力を大きく生じさせるようにすることができる。
【発明の効果】
【０００９】
この発明によれば、シリンダー体及びピストン体を備えてなるこの種のダンパー装置を、これにキャップ体を加えた三点のパーツから適切に構成させることができる。
【図面の簡単な説明】
【００１０】
【図１】図１はダンパー装置の断面構成図である。
【図２】図２は図１の要部拡大図であり、二点鎖線（想像線）により基準位置から移動したときのキャップ体の輪郭を表している。
【図３】図３は図１及び図２のシリンダー体の軸部の構成の変更例を示した要部拡大図であり、二点鎖線（想像線）により基準位置から移動したときのキャップ体の輪郭を表している。
【図４】図４は図１〜図３のダンパー装置を構成するキャップ体の一部破断斜視構成図である。
【図５】図５は図１〜図４のダンパー装置のキャップ体の変更例を示した一部破断要部斜視構成図である。
【図６】図６は図５のダンパー装置の要部拡大図であり、二点鎖線（想像線）により貫通孔を移動させたキャップ体の輪郭を表している。
【発明を実施するための形態】
【００１１】
以下、図１〜図６に基づいてこの発明の典型的な実施の形態について説明する。この実施の形態にかかるダンパー装置は、シリンダー体１及びピストン体２を備え、少なくともこれらのいずれか一方の側を図示しない制動対象物に取り付けさせることにより、制動対象物の移動又は相対的な移動に制動を付与するものである。
【００１２】
例えば、ピストン体２を可動体としての制動対象物に取り付けさせ、シリンダー体１を図示しない固定体に取り付けさせれば、制動対象物の移動によりピストン体２を移動させるようにしてこのピストン体２を介して制動対象物のこの移動に制動を付与させることができる。
【００１３】
また、ピストン体２を可動体としての制動対象物に取り付けさせ、かつ、シリンダー体１を別の可動体としての制動対象物に取り付けさせれば、二つの制動対象物の互いに近づく向きの、あるいは離れ出す向きの移動により、シリンダー体１とピストン体２の双方を移動させるようにして、二つの制動対象物のこの移動にそれぞれ制動を付与させることができる。
【００１４】
シリンダー体１は、隔壁１０により、キャップ体３により外部と区分された第一室１１と、ピストン体２の納められた第二室１２とに区分されている。図示の例では、シリンダー体１は、筒両端を共に開放させた円筒状をなすように構成されている。隔壁１０は、シリンダー体１の筒一端側に偏った位置に形成されている。隔壁１０はシリンダー体１の軸線ｘ（図１／シリンダー体１の中心軸線）に壁面を直交させるように形成されている。この隔壁１０とシリンダー体１の筒一端との間が前記第一室１１となり、この隔壁１０とシリンダー体１の筒他端との間が前記第二室１２となっている。
【００１５】
ピストン体２は、図示の例では、シリンダー体１の内径に略等しい外径を備えた短寸円柱状をなすヘッド２０と、このヘッド２０に一端を連接させてシリンダー体１の筒他端から外部に突き出されるロッド２１とから構成されている。このロッド２１を利用してピストン体２を前記制動対象物などに取り付けることができるようになっている。ヘッド２０の外周部には周回溝２０ａが形成され、この周回溝２０ａを利用してヘッド２０の外周部にシールリング２０ｂが嵌められている。シリンダー体１の筒他端にはエンドキャップ１３が嵌め付けられており、このエンドキャップ１３の中央に形成された貫通穴１３ａを通じてロッド２１の他端側が外部に突き出されている。
【００１６】
また、前記隔壁１０には第一室１１と第二室１２とを連絡する流路１０ａが形成されていると共に、この隔壁１０からは第一室１１側に軸部１４が突出されている。図示の例では、かかる軸部１４はシリンダー体１の軸線ｘ上に、この軸線ｘに軸部１４の軸線を沿わせて形成されている。軸部１４の基部は隔壁１０の中央部に一体化されている。軸部１４の先端はシリンダー体１の筒一端よりもやや内方に位置されている。一方、前記流路１０ａは、軸部１４の側方において、隔壁１０を貫通する穴として構成されている。かかる流路１０ａは、隔壁１０に二箇所以上設けてあっても構わない。この流路１０ａにより、ピストン体２が隔壁１０から離隔するときは第一室１１から第二室１２に流体、図示の例では空気が移動し、ピストン体２が隔壁１０に近接するときは第二室１２から第一室１１に空気が移動するようになっている。
【００１７】
また、図１〜図４に示される例では、前記キャップ体３は貫通穴３０を備えており、この貫通穴３０に軸部１４を通して基準位置（図２及び図３で実線で示す位置）からシリンダー体１の軸線ｘ方向に移動可能に構成されている。そして、この図１〜図４に示される例にあっては、ピストン体２の移動又は相対的な移動により生じる圧力変化によってキャップ体３が基準位置から移動したときに、前記貫通穴３０と軸部１４との間の隙間ｙを変化させる絞り構造が備えられている。
【００１８】
一方、図５及び図６に示される例では、かかるキャップ体３は貫通穴３０を備え、この貫通穴３０に軸部１４を通しており、ピストン体２の移動又は相対的な移動により生じる圧力変化によってキャップ体３の貫通穴３０の穴縁部が変形して貫通穴３０を隔壁１０側に移動させるように構成されている。そして、この図５及び図６に示される例にあっては、かかる貫通穴３０の移動が生じたときにこの貫通穴３０と軸部１４との間の隙間ｙを変化させる絞り構造が備えられている。
【００１９】
制動対象物の移動又は相対的な移動によりピストン体２がシリンダー体１の隔壁１０から離れる向きに移動又は相対的に移動されると、第二室１２は負圧になることから軸部１４との間に流体の通過する隙間ｙを設けてこの軸部１４を貫通穴３０に挿通させているキャップ体３には隔壁１０に近接する向きの力が作用される。このような力が作用されると、図１〜図４に示される例ではキャップ体３は基準位置から隔壁１０に近接する向きに移動され、また、図５及び図６に示される例ではキャップ体３の貫通穴３０の穴縁部が隔壁１０に近接する向きに移動される。このような移動がされると、前記絞り構造により前記隙間ｙが変化、つまりかかる隙間ｙにおける前記軸線ｘ方向でのもっとも狭い箇所の断面積が減少されることから、シリンダー体１内に第一室１１側から流体が導入され難くなり、ピストン体２の移動又は相対的な移動に制動が作用される。これにより制動対象物の移動又は相対的な移動に制動力を作用させることができる。
【００２０】
一方、図示の例では、制動対象物の移動又は相対的な移動によりピストン体２がシリンダー体１の隔壁１０に近づく向きに移動又は相対的に移動されるときは、前記隙間ｙの断面積は減少されず、第二室１２から第一室１１を通じた外部への流体の移動は比較的スムースになされることから、かかる制動対象物の移動又は相対的な移動に過大な制動力を作用させないようになっている。
【００２１】
図１〜図４に示される例では、キャップ体３は、シリンダー体１の内径に略等しい外径を備えた円板状をなす主体部３１と、このキャップ体３を前記基準位置にこの基準位置からの前記移動を可能にした状態で位置づける弾性部３２とを備えている。主体部３１に直径方向両側にはそれぞれ掛合部３３が突出されており、第一室１１を形成するシリンダー体１の隔壁１０と筒一端との間に位置される側部にはこの掛合部３３を受け入れる窓穴１１ａが形成されている。かかる窓穴１１ａはシリンダー体１の軸線ｘ方向において掛合部３３の移動を可能な広さを備えており、これによりキャップ体３、より具体的には前記主体部３１は掛合部３３を前記窓穴１１ａにおけるシリンダー体１の筒一端側に位置される内壁に弾性部３２の弾性により押しつけさせた基準位置から、隔壁１０に近接する向きに移動できるようになっている。貫通穴３０は主体部３１の中央部に形成されている。一方、弾性部３２も、図示の例では、外径をシリンダー体１の内径と略等しくするように構成された円板状をなすように構成されている。主体部３１の隔壁１０に向けられた側には貫通穴３０を巡る短寸筒状部３４が形成されている。弾性部３２はこの短寸筒状部３４の隔壁１０側の筒端を取り巻くように形成されている。弾性部３２はその外縁部に近づくに連れて主体部３１との間の間隔を広げるように形成されており、前記基準位置においてはその隔壁１０側に向けられた面とシリンダー体１の軸線ｘとの間に鋭角を形成させるように傾斜されている。一方、第一室１１における前記窓穴１１ａと隔壁１０との間には、シリンダー体１の筒一端側に向いた段部１１ｂが形成されており、弾性部３２の外縁部がこの段部１１ｂに係当されるようになっている。かかる弾性部３２によりキャップ体３は前記基準位置に位置づけられる。（図２）この状態からピストン体２が隔壁１０から離隔されると前記圧力変化により弾性部３２は前記傾斜を緩める向きに変形され、これにより前記主体部３１は隔壁１０に近接する向きに移動される。
【００２２】
図５及び図６に示される例では、キャップ体３は、シリンダー体１の内径と略等しい外径を備えた筒状部３５と、この筒状部３５の筒両端間においてこの筒状部３５内の空間を二つに区分するように張り込まれた主体部３６と、筒状部３５との間にシリンダー体１の肉厚相当分の間隔を開けてこの筒状部３５の外側に設けられた外筒部３７とを備えている。筒状部３５の筒一端と外筒部３７の筒一端とは連接部３８をもって一体に連接されている。外筒部３７の筒他端には内向きに突き出す掛合突部３９が形成されており、シリンダー体１の筒一端をキャップ体３の筒状部３５と外筒部３７との間にはめ込むようにシリンダー体１にキャップ体３を組み合わせるとかかる掛合突部３９がシリンダー体１の筒一端の外側に形成された掛合凹部１１ｃに入り込み掛合してこの組み合わせ状態を維持するようになっている。主体部３６の中央に前記貫通穴３０が形成されている。この主体部３６における貫通穴３０を取り巻く箇所、つまり、穴縁部は薄肉の膜状になっており、ピストン体２が隔壁１０から離隔されて前記圧力変化が生じたときにこの穴縁部は隔壁１０に近接する向きに変形され、これにより前記貫通穴３０は隔壁１０に近接する向きに移動される。
【００２３】
図２及び図６に示される例では、軸部１４を隔壁１０に近づくに連れて太くなるように構成している。これにより、図２において想像線で示すようにキャップ体３の主体部３１の隔壁１０に近接する向きの移動が生じたときに、また、図６において想像線で示すように貫通穴３０の隔壁１０に近接する向きの移動が生じたときに、前記隙間ｙを変化させるようになっている。すなわち、図２及び図６に示される例では、かかる軸部１４の形状によって前記絞り構造を構成させている。
【００２４】
また、図３に示される例では、軸部１４の太さを一定にする一方で、この軸部１４に隔壁１０に近づくに連れて浅くなる溝１４ａを形成させている。かかる溝１４ａは軸部１４の外面部においてこの軸部１４の先端から始まり軸部１４の軸線に沿って続いている。これにより、図３において想像線で示すようにキャップ体３の主体部３１の隔壁１０に近接する向きの移動が生じたときに、前記隙間ｙを変化させるようになっている。すなわち、図３に示される例では、かかる溝１４ａによって前記絞り構造を構成させている。
【００２５】
図示の例とは別に、軸部１４に、隔壁１０に近づくに連れて幅狭となる溝又は隔壁１０に近づくに連れて浅くなり且つ幅狭となる溝を形成しても、同様の効果が得られる。また、このような溝を形成させつつ、前記軸部１４を隔壁１０に近づくに連れて太くなるように構成しておいても良い。
【００２６】
このようにした場合、キャップ体３の隔壁１０側に向けた移動量、又は、貫通穴３０の隔壁１０側に向けた移動量が大きくなればなるほど、ピストン体２の移動に対する抵抗が大きくなるようにすることができる。これにより、ピストン体２の移動又は相対的な移動が遅いときはかかる移動量が小さいのでこのピストン体２ひいては制動対象物への制動力を小さく生じさせ、ピストン体２の移動又は相対的な移動が速いときはかかる移動量が大きくなるのでこのピストン体２ひいては制動対象物への制動力を大きく生じさせるようにすることができる。
【００２７】
以上に説明した例では、流体を空気（気体）としているが、流体を液体とする場合にも以上に説明した例は同じように機能する。例えば、制動対象物が液中に浸かって用いられる場合や、シリンダー体１を図示しない外部ケースにさらに納めこの外部ケース内を液体で満たすようにするなどした場合には、これらの液体を利用して制動対象物に制動を付与させることができる。
【符号の説明】
【００２８】
１  シリンダー体
１０  隔壁
１０ａ  流路
１１  第一室
１２  第二室
１４  軸部
２  ピストン体
３  キャップ体
３０  貫通穴
ｘ  軸線
ｙ  隙間
【図１】
2011038624.tif 000003
【図２】
2011038624.tif 000004
【図３】
2011038624.tif 000005
【図４】
2011038624.tif 000006
【図５】
2011038624.tif 000007
【図６】
2011038624.tif 000008